(57)【要約】【課題】光学系部品や光ディスクへの結露の認識判定を、精度よく的確に行い、光ディスク装置や光ディスクカメラの動作制御を確実なものにすること。【解決手段】湿度を検出する湿度センサと、信号読み取り部からの信号の振幅レベルを検出する振幅レベル検出部と、湿度センサで検出した湿度と所定の湿度とを比較する湿度比較部と、振幅レベル検出部で検出した信号の振幅レベルと所定の振幅レベルとを比較する振幅比較部とを設け、湿度比較部により所定の湿度よりも湿度が高いことを検出した際には、信号読み取り部により光ディスク上から信号を読み取り、読み取った信号の振幅レベルが所定の振幅レベルより低いことを振幅比較部が検出した場合は、結露状態と認識する。【選択図】      図１
2004171655.tif 000002
【特許請求の範囲】
【請求項１】
光ディスク上の情報を読み取るための信号読み取り部と、前記光ディスクを駆動するための駆動部とを有する光ディスク装置において、
湿度を検出する湿度センサと、前記信号読み取り部からの信号の振幅レベルを検出する振幅レベル検出部と、前記湿度センサで検出した湿度と所定の湿度とを比較する湿度比較部と、前記振幅レベル検出部で検出した信号の振幅レベルと所定の振幅レベルとを比較する振幅比較部とを設け、
前記湿度比較部により所定の湿度よりも湿度が高いことを検出した際には、前記信号読み取り部により前記光ディスク上から信号を読み取り、読み取った信号の振幅レベルが前記所定の振幅レベルより低いことを前記振幅比較部が検出した場合は、結露状態と認識することを特徴とする光ディスク装置。
【請求項２】
請求項１記載の光ディスク装置において、
結露状態を報知可能な報知部を設け、結露状態と認識した場合、前記駆動部の動作を停止するとともに、前記報知部により結露状態を報知することを特徴とした光ディスク装置。
【請求項３】
レーザー光を光ディスクの表面に照射させ情報を読み取るための光ピックアップと、前記光ディスクを駆動するためのドライブ部とを有し、前記光ディスクから情報を再生することが可能な光ディスク装置を、内蔵した光ディスクカメラにおいて、
湿度を検出する湿度センサと、前記光ピックアップからの信号の振幅レベルを検出する振幅レベル検出部と、前記湿度センサで検出した湿度と所定の湿度とを比較する湿度比較部と、前記振幅レベル検出部で検出した信号の振幅レベルと所定の振幅レベルとを比較する振幅比較部とを設け、
前記湿度比較部により所定の湿度よりも湿度が高いことを検出した際には、前記光ピックアップにより前記記録媒体上から信号を読み取り、読み取った信号の振幅レベルが前記所定の振幅レベルより低いことを前記振幅比較部が検出した場合は、結露状態と認識することを特徴とする光ディスクカメラ。
【請求項４】
請求項３記載の光ディスクカメラにおいて、
結露状態を表示可能な表示部を設け、結露状態と認識した場合、前記ドライブ部の動作を停止するとともに、前記表示部により結露状態を表示することを特徴とした光ディスクカメラ。
【発明の詳細な説明】
【０００１】
【発明の属する技術分野】
本発明は、光学的に情報を読み取る光ディスクを記録媒体として用いる光ディスク装置、およびそれを搭載した光ディスクカメラに係り、特に、結露状態の認識手法にかかわる技術に関するものである。なお、本明細書で言う光ディスクとは、少なくとも情報を光学的に読み取るものを指し、ＭＯ（Ｍａｇｎｅｔｉｃ  Ｏｐｔｉｃｓｌ  Ｄｉｓｋ：光磁気ディスク）もその概念に含まれるものである。
【０００２】
【従来の技術】
従来、ビデオカメラとＶＴＲを一体に組み込んだカメラ一体型ＶＴＲが広く一般的に普及しており、屋内外で使われている。また近年、パソコンの普及と共に、記録媒体としてＤＶＤ−ＲＡＭ、ＣＤ−Ｒ等の光ディスクメディアが登場してきており、この光ディスクメディアを使用する光ディスク装置を利用した光ディスクカメラも市場に登場してきた。
【０００３】
一般的に、カメラ一体型ＶＴＲおよび光ディスクカメラは、屋外で使用される頻度が高い。そのために、これらの機器を構成する電気回路およびメカニズムは、埃や水分の影響を受けないようにする必要がある。光ディスクカメラに内蔵される光ディスク装置は、信号の記録再生のための光ピックアップを持ち、レンズ、ミラー等の光学系部品を光ピックアップの所定位置に配置している。光ピックアップのベース素材自体はアルミダイキャスト材で作られており熱容量は大きく、この光ピックアップ周辺に気温が低い状態から気温の高い状態への環境変化があった場合（例えば、光ディスクカメラを冬場のスキ−場で室外からレストハウス内へ移動した後、光ディスクの交換等でカセット蓋を開けた時等）、光ピックアップ自体とその周囲温度との間に温度差を生じてしまい、この光ピックアップ周辺の空気中の水分が、光ピックアップを構成するアルミダイキャストの部材に付着し、結露を生じる場合がある。このとき、レンズおよびミラー等の光学系部品は、光ピックアップに接着材等で直に配置されているため、レンズ及びミラー等の光学系にも結露する場合がある。また、光ディスクカメラに装着される光ディスクも熱容量が大きく、低温環境状態から高温環境へ移動すると、やはり結露する場合がある。
【０００４】
このように、光ディスク装置の光学系部品及び光ディスクに結露が発生してしまうと、光ディスク面に必要な量のレーザー光を正確に照射することが不可能になり、正常な情報の記録および再生ができなくなってしまう。そのために、従来技術では、光ディスクカメラ等の機器において、機器内に湿度センサを配置し、湿度センサによって結露状態を検出することにより、結露による不具合の発生の防止もしくは結露時における記録動作停止等の機器の制御を行っていた（特許文献１、特許文献２参照）。
【０００５】
このような従来技術として、特許文献１（特開平１０−３２０９０２号公報）に記載の技術は、結露センサにより結露を検出した場合、記録等の動作を停止し装置を保護するか、または、所定期間の間ディスクを回転させディスクの水分を少なくするようにしている。
【０００６】
また、他の従来技術として、特許文献２（特開２００２−１５７８７３号公報）に記載の技術は、結露センサにより結露を検出した場合には、ディスクを回転させ、風による蒸散や、モータの発熱により装置内の温度を上げことにより、結露を解消するようにしている。
【０００７】
ところで、上記の特許文献１および特許文献２においては、結露センサとして、湿度を検知する湿度センサを用いて結露状態を判断しており、この湿度センサには、高分子膜湿度センサすなわち電気抵抗型の湿度センサが使用されている。この電気抵抗型の湿度センサは、感湿膜中の水分量により抵抗値が変化するもので、この抵抗値の変化を利用して、所定の閾値と比較することにより、装置の結露状態を検出するようになっている。
【０００８】
【特許文献１】
特開平１０−３２０９０２号公報
【０００９】
【特許文献２】
特開２００２−１５７８７３号公報
【００１０】
【発明が解決しようとする課題】
しかしながら、上記した従来技術において、結露状態を検出するために使用されている湿度センサは、その抵抗値が感湿膜の水分量に対して指数的に変化する特性であり、その特性にバラツキを持っているので、ある湿度時の抵抗値にはバラツキが出てしまう。このため、所定の閾値と比較することで結露状態を検出するとした上記従来技術による手法では、結露状態を誤検出する場合があった。また、本来結露を検出したい部品（例えば光学系部品）には直に湿度センサを配置できないので、湿度センサの配置場所の違いによっても湿度検出に影響が生じ、さらに誤検出し易くなる場合があった。すなわち、光ディスクカメラの光学系部品や光ディスクが結露しておらず、光ディスクカメラが動作可能な状態にあるにもかかわらず、湿度センサの特性のバラツキにより、結露状態を検出したと誤検出した際は、光ディスクカメラの動作を停止することになり、本来記録できるにもかかわらず誤検出のために記録できないという問題があった。特に、カメラ撮影の場合は、せっかくの撮影チャンスを逃がすということは大きな問題である。
【００１１】
本発明は、上記の問題点を解決するためになされたもので、その目的とするところは、光学系部品や光ディスク等への結露の認識判定を、精度よく的確に行って、以って、光ディスク装置や光ディスクカメラの動作制御を確実なものにすることにある。
【００１２】
【課題を解決するための手段】
上記した目的を達成するため、本発明による代表的な一つの発明では、
光ディスク上の情報を読み取るための信号読み取り部と、前記光ディスクを駆動するための駆動部とを有する光ディスク装置において、
湿度を検出する湿度センサと、前記信号読み取り部からの信号の振幅レベルを検出する振幅レベル検出部と、前記湿度センサで検出した湿度と所定の湿度とを比較する湿度比較部と、前記振幅レベル検出部で検出した信号の振幅レベルと所定の振幅レベルとを比較する振幅比較部とを設け、
前記湿度比較部により所定の湿度よりも湿度が高いことを検出した際には、前記信号読み取り部により前記光ディスク上から信号を読み取り、読み取った信号の振幅レベルが前記所定の振幅レベルより低いことを前記振幅比較部が検出した場合は、結露状態と認識するように、構成される。
さらに、結露状態を報知可能な報知部を設け、結露状態と認識した場合、前記駆動部の動作を停止するとともに、前記報知部により結露状態を報知するように、構成される。
【００１３】
このように本発明では、湿度センサによって高湿度が検出され、かつ、光ディスクからの受光電圧信号の振幅レベルが所定値より小さいことが検出された場合に、結露状態と判定するようにしているので、光学系部品や光ディスクの結露の判定を、精度よく的確に行うことができ、以って、装置の動作制御を確実なものにすることができ、使い勝手の改善を図ることが可能となる。
【００１４】
【発明の実施の形態】
以下、本発明の実施の形態を、図面を用いて説明する。
【００１５】
図１は、本発明の一実施形態に係る光ディスクカメラの構成図である。本実施形態の光ディスクカメラは、図１に示すように、光ディスク装置１と、カメラ部２と、ＬＣＤ（Ｌｉｑｕｉｄ  Ｃｒｙｓｔａｌ  Ｄｉｓｐｌａｙ）１９と、ＥＶＦ（Ｅｌｅｃｔｒｏ  Ｖｉｅｗ  Ｆｉｎｄｅｒ）２０とを、含んだものとして構成されている。なお、ＬＣＤ１９とＥＶＦ２０とは、一体に兼用されるものであってもよい。
【００１６】
光ディスク装置１のメカシャーシ９には、着脱可能な光ディスク３を回転させるスピンドルモータ４と、レーザー光を光ディスク３に照射および光ディスク３からの反射光を受光するためのレンズ５、ミラー６等の光学系部品や光ピックアップ基板１２を搭載した光ピックアップ７と、光ピックアップ７を光ディスク３の半径方向に沿って移動させるためのステッピングモータ８と、光ピックアップ７を移動させるための移送メカニズムとが、配置されている。さらに、メカシャーシ９には、光ディスクカメラ内の湿度を検出するための湿度センサ１０が配置されており、その出力は光ディスク装置回路基板１１へ送られるようになっている。
【００１７】
また、光ディスク３上の情報を光ピックアップ７で光の変化として受光した反射光は、光ピックアップ７に装備された光電変換素子１３（Ｏｐｔｏ−Ｅｌｅｃｔｏｒｏｎｉｃ  Ｉｎｔｅｇｒａｔｅｄ  Ｃｉｒｃｕｉｔ：以下ＯＥＩＣと呼ぶ）によって、受光電圧信号に変換される。受光電圧に変換された信号は、光ディスク装置回路基板１１へと送られ、光ディスク装置信号処理回路１４にて、カメラ回路基板１５との信号の受け渡しを行うためにデジタル化等の処理を施される。このデジタル化された信号は、光ディスク装置回路基板１１の光ディスクインターフェイス回路１６を介して、カメラ回路基板１５のカメラインターフェイス回路１７へ渡され、カメラ回路基板１５のカメラ部信号処理回路１８でデコード処理をされ、元の画像情報としてＬＣＤ１９および／またはＥＶＦ２０上に、画像として表示される。
【００１８】
記録に際しては、カメラ部２の図示せぬ撮影光学系により被写体の光学像が図示せぬＣＣＤ（Ｃｈａｒｇｅ  Ｃｏｕｐｌｅｄ  Ｄｅｖｉｃｅ）に結像されて、光電変換された被写体の画像データは、カメラ部信号処理回路１８にてデジタル化等の適宜の処理を施された後、カメラインターフェイス回路１７を介して光ディスクインターフェイス回路１６へ渡され、光ディスク装置信号処理回路１４において記録フォーマットに従う適宜の処理を施されて、光ピックアップ７によって光ディスク３上に記録される。
【００１９】
ここで、メカシャーシ９に配置された湿度センサ１０は、光ディスクカメラ内の湿度変化に応じて、その抵抗値が変化する。この湿度センサ１０の種類としては、湿度の上昇と共に抵抗値が大きくなるものと小さくなるものが存在するが、本実施形態では、抵抗値が大きくなる湿度センサ１０を使用している。湿度センサ１０は、導線もしくはＦＰＣ（Ｆｌｅｘｉｂｌｅ  Ｐｒｉｎｔｅｄ  Ｃｉｒｃｕｉｔ）ケーブルによって光ディスク装置回路基板１１と接続される。光ディスク装置回路基板１１には、図２に示すような分圧回路の構成によって、湿度センサ１０の抵抗値の変化を電圧の変化に変換する湿度検出回路２１が設けられており、その湿度検出回路２１の出力である湿度検出電圧を、光ディスク装置回路基板１１のＭＰＵ（Ｍｉｃｒｏ  Ｐｒｏｃｅｓｓｉｎｇ  Ｕｎｉｔ）２２において監視することによって、光ディスクカメラ内の湿度状態を認識可能としている。
【００２０】
上記の湿度センサ１０に光ディスクカメラ内の湿度による水分が付着し、その抵抗値が大きくなると、光ディスク装置回路基板１１の湿度検出回路２１による湿度検出電圧は、図３に示す湿度検出電圧カーブに従って上昇する。この湿度検出カーブにおいて、光ピックアップ７に配置されているレンズ５、ミラー６および／または光ディスク３が結露する可能性がある湿度のときの湿度検出電圧を、湿度検出閾値と決めておく。
【００２１】
本実施形態においては、光ディスクカメラを使用中に、湿度検出電圧が上記の湿度検出閾値を超えた場合、これだけでは、まだ結露とは判断せず、光ディスク３からの受光電圧信号の振幅レベル判定を実施する。振幅レベルの判定動作は、まず、ＭＰＵ２２の指令によりステッピングモータ駆動回路２３を動作させ、ステッピングモータ８を駆動して、光ピックアップ７を光ディスク３の所定の位置へ移動させる。そして、その所定の位置において、レーザー光をミラー６およびレンズ５等の光学系部品を経由し、光ディスク３上に照射して、光ディスク３の種類ごとに持つ固有の反射率による反射光を得る。この反射光は、光ピックアップ基板１２のＯＥＩＣ１３によって受光電圧信号に変換され、光ディスク装置回路基板１１に送られる。光ディスク装置回路基板１１には、上記の受光電圧信号の振幅レベルを検出するための振幅レベル検出回路２４が設けられており、この振幅レベル検出回路２４で検出された振幅レベルの情報は、ＭＰＵ２２に送られる。ＭＰＵ２２では、この検出した振幅レベルを、予め設定した所定の振幅レベル値と比較し、検出した振幅レベルが所定の振幅レベル値よりも低い場合には、結露と判定し、そうでない場合には、湿度検出電圧が湿度検出閾値を超えていても、結露ではないと判定する。
【００２２】
つまり、光ディスクカメラ（光ディスク装置１）のミラー６およびレンズ５等の光学系部品または光ディスク３に結露が生じている場合には、その経路のいずれかでレーザー光が拡散または乱反射するために、光ピックアップ基板１２のＯＥＩＣ１３に入力される反射光は著しく減少する。そのために、受光電圧信号の振幅レベルは、光ディスクの再生で求められる規定の振幅レベル値を下回るものになる。
【００２３】
このように本実施形態では、湿度検出電圧が湿度検出閾値を超え、さらに受光電圧信号の振幅レベルが規定の振幅レベル値を下回った場合に、ＭＰＵ２２は、ミラー６およびレンズ５等の光学系部品または光ディスク３が結露状態にあると判断する。そして、ＭＰＵ２２は、結露状態であると判断すると、光ディスク装置１の動作を停止させると共に、光ディスク装置１が結露のために正常に情報の記録または再生ができない旨のメッセージを、光ディスクインターフェイス回路１６、カメラインターフェイス回路１７、カメラ部信号処理回路１８を経由して、カメラ部２に具備されているＬＣＤ１９やＥＶＦ２０上に、例えば、状態表示として“結露しています”などと表示して、正常に情報の記録または再生ができないことを、使用者に知らせるようになっている。なおここで、湿度検出電圧が湿度検出閾値を超えていても、受光電圧信号の振幅レベルが前記規定の振幅レベル値を上回っている場合は、ＭＰＵ２２は、ミラー６およびレンズ５等の光学系部品または光ディスク３は結露状態ではないと判断し、光ディスク装置１に記録あるいは再生が可能な通常動作モードをとらせる。
【００２４】
次に、以上に述べた本実施形態の結露認識処理の動作の流れを、図４のフローチャートを用いて説明する。
【００２５】
光ディスクカメラは、まず、ステップＳＴ１で、湿度センサ１０からの湿度情報により湿度検出回路２１で電圧に変換した湿度検出電圧を取得し、ステップＳＴ２で、光ピックアップ７に配置されているレンズ５、ミラー６または光ディスク３が結露する可能性がある湿度検出閾値を超えたかどうかの判断を行う。取得した湿度検出電圧が湿度検出閾値を超えていない場合は（ステップＳＴ２でＮＯの場合は）、ステップＳＴ３へ進み、ユーザからの指示待ちあるいは今までの動作状態を継続する通常動作へ戻って、処理は終了する。
【００２６】
取得した湿度検出電圧が湿度検出閾値を超えた場合は（ステップＳＴ２でＹＥＳの場合は）、ステップＳＴ４で、受光電圧信号の振幅レベルの測定動作を開始し、ステップＳＴ５で、光ピックアップ７を光ディスク３の信号を読み取るための所定の位置へ移動する。光ピックアップ７が所定の位置へ移動完了後、ステップＳＴ６で、スピンドルモータ４が規定の回転数で回転しているか否かを判断する。スピンドルモータ４が停止しているかもしくは規定の回転数で回転していなかった場合（ステップＳＴ６でＮＯの場合）、ステップＳＴ７で、ＭＰＵ２２の指令によりスピンドルモータ駆動回路２５を制御し、すみやかにスピンドルモータ４を規定の回転数で回転するように制御する。
【００２７】
ステップＳＴ６の判定でスピンドルモータ４が規定の回転数で回転していると判断した場合（ステップＳＴ６でＹＥＳの場合）、またはステップＳＴ７の処理終了後、ステップＳＴ８でレーザーを発光する。しかしながら、この段階ではレーザー光は光ディスク３上にフォーカスが合っていないために、光ディスク３からの受光電圧信号の振幅レベルを正確に測定することができない。そこで、光ピックアップ７に配置されているレンズ５をフォーカス調整方向に移動させ、フォーカスが最も合うポイントを探す動作を行う必要がある。その動作のために必要な基準信号であるＦＥ信号（フォーカスエラー信号）とＰＥ信号（光ディスクからの反射総光量）の振幅値が光ディスク装置１で必要な規定値になるように、ステップＳＴ９で調整を行う。そして、ステップＳＴ１０で、ＦＥ信号とＰＥ信号の振幅値が規定値に達しているかを判断し、規定値に達していない場合は（ステップＳＴ１０でＮＯの場合には）、ステップＳＴ１１に進み、規定値になるまで予め設定した規定回数になるまでステップＳＴ９に戻り、調整を繰り返す。ここで、規定回数繰り返しても、規定値まで達しない場合は、ステップＳＴ１７に進む。
【００２８】
ステップＳＴ１０の判定で規定値に達していると判断した場合は（ステップＳＴ１０でＹＥＳの場合は）、ステップＳＴ１２に進み、ステップＳＴ１２では、レンズ５を光ディスク３に対してフォーカス調整方向に移動させ、フォーカスの引き込み動作を行う（ＡＦ（Ａｕｔｏ  Ｆｏｃｕｓ）動作を行う）。フォーカスが引き込んだか否かの判断は、ステップＳＴ１３で行い、このステップＳＴ１３でフォーカスが引き込まないと判断された場合は（ステップＳＴ１３でＮＯの場合は）、ステップＳＴ１４に進み、予め設定した規定回数になるまでステップＳＴ１２に戻り、フォーカスの引込み動作を繰り返す。ここで、規定回数繰り返しても、フォーカスが引き込まない場合は、ステップＳＴ１７に進む。
【００２９】
ステップＳＴ１３でフォーカス引き込みＯＫと判断された場合は（ステップＳＴ１３でＹＥＳの場合は）、ステップＳＴ１５で、光ディスク３の所定位置において規定パワーのレーザー光を照射して、その光ディスク３で反射した光の受光電圧信号の振幅レベルを測定する。次に、ステップＳＴ１６で、測定した振幅レベルと、予めディスクの種類毎に規定している複数の振幅レベル値とを比較し、測定した受光電圧信号の振幅レベルが、予めディスクの種類毎に規定している複数の振幅レベル値のいずれの値よりも下回っているか否かを判定する。
【００３０】
測定した受光電圧信号の振幅レベルが、予めディスクの種類毎に規定している複数の振幅レベル値のいずれの値よりも下回っている場合は（ステップＳＴ１６でＹＥＳの場合は）、ステップＳＴ１７で、光ディスク装置１のミラー６およびレンズ５等の光学系部品または光ディスク３が結露状態にあると認識する。そして、ステップＳＴ１８で、光ディスクカメラの光ディスク装置１の動作を停止させ、さらに、ステップＳＴ１９で、カメラ部２に光ディスク装置１が正常に情報の記録または再生ができないことの情報が報告され、これによって、ＬＣＤ１９やＥＶＦ２０に“結露しています”というメッセージを表示して、処理を終了する。
【００３１】
他方、測定した受光電圧信号の振幅レベルが、予めディスクの種類毎に規定している複数の振幅レベル値内のいずれかになっている場合は（ステップＳ１６でＮＯの場合は）、ステップＳ２０で、湿度は高いが、光ディスク装置１のミラー６およびレンズ５等の光学系部品または光ディスク３が結露状態ではないと認識する。そして、ステップＳＴ２１で、測定した受光電圧信号の振幅レベルと、予めディスクの種類毎に規定している複数の振幅レベル値との対比によって、装着されている光ディスクの種類を判別し、この判別結果に応じてディスク種別に対応した設定を行い、前記したステップＳＴ３に進む。ステップＳＴ３では、先にも述べたように、ユーザからの指示待ちあるいは今までの動作状態を継続する通常動作へ戻って、処理を終了する。
【００３２】
ここで、上述した実施形態では、湿度センサ１０をメカシャーシ９に配置することとしたが、湿度センサ１０の配置個所は、光ディスク装置１内や光ディスクカメラ内の任意の位置であれば差し支えない。例えば、光ピックアップ部、回路基板部、筐体にあっても、本発明の範疇に含まれる。
【００３３】
また、上述した実施形態では、結露の認識判定処理をディスク種類判別の処理と兼用したが、処理の方法としてはこれに限らないことは言うまでもない。例えば、湿度が高い場合には、結露の認識判定を専用の処理にしても構わない。この場合には、ステップＳＴ１６の判定処理で用いられる所定の振幅レベル値は、一つで済むことは言うまでもない。
【００３４】
また、上述した実施形態では、結露と認識した際には、光ディスク装置１の動作を停止するとともに、ＬＣＤ１９等に注意を促すための表示を行うこととしたが、結露と認識したときの処理はこれに限るものではない。例えば、結露と認識したときに、光ディスクを回転させディスクの水分を少なくするとともに、光ディスクカメラ内に風による空気の循環を促す処理および／または内部の回路を通電して熱を発生させ光ディスクカメラ内部の温度を上げる処理等の、処理を実行することにより、結露を速やかに解消するようにしても構わない。
【００３５】
【発明の効果】
以上のように本発明によれば、光ディスク装置内あるいは光ディスクカメラ内の湿度センサを利用した湿度検出レベルが規定レベルを超えたときに、信号の振幅レベルの検出を行い、検出した振幅レベルと所定の振幅レベルとを比較して、光学系部品や光ディスクにおける結露の影響の有無を確認するようにしているので、湿度センサに検出バラツキが存在したとしても、光学系部品や光ディスクなどにおける結露の有無判定を、精度よく的確に行うことができ、光ディスク装置や光ディスクカメラの動作制御を確実なものにすることができる。また、湿度検出レベルが規定レベルを超えた場合でも、光ディスク装置が動作可能な状態にあれば撮影が可能となり、そのためにせっかくの撮影チャンスを逃がすことの無い、使い勝手の良い光ディスクカメラを提供することができる。
【図面の簡単な説明】
【図１】本発明の一実施形態に係る光ディスクカメラの構成図である。
【図２】本発明の一実施形態に係る光ディスクカメラにおける、振幅レベル検出回路の例を示す回路図である。
【図３】図２の振幅レベル検出回路による湿度検出電圧カーブの特性例を示す説明図である。
【図４】本発明の一実施形態に係る光ディスクカメラにおける、結露判定の処理の流れを示すフローチャートである。
【符号の説明】
１  光ディスク装置
２  カメラ部
３  光ディスク
４  スピンドルモータ
５  レンズ
６  ミラー
７  光ピックアップ
８  ステッピングモータ
９  メカシャーシ
１０  湿度センサ
１１  光ディスク装置回路基板
１２  光ピックアップ基板
１３  ＯＥＩＣ
１４  光ディスク装置信号処理回路
１５  カメラ回路基板
１６  光ディスクインターフェイス回路
１７  カメラインターフェイス回路
１８  カメラ部信号処理回路
１９  ＬＣＤ
２０  ＥＶＦ
２１  湿度検出回路
２２  ＭＰＵ
２３  ステッピングモータ駆動回路
２４  振幅レベル検出回路
２５  スピンドルモータ駆動回路
【図１】
2004171655.tif 000003
【図２】
2004171655.tif 000004
【図３】
2004171655.tif 000005
【図４】
2004171655.tif 000006